(57)【要約】【課題】シール部を容易に引き剥がして開封できる積層フィルムの包装体を提供する。【解決手段】基材層４の裏側にシーラント層５をラミネートした積層フィルム１を材料とし、シーラント層５同士が接するように帯状のシール部２で接着した包装体において、シーラント層５に、シール部２の外側の端縁に沿って、基材層４に達しないハーフカットの剥離用切込線６を入れ、この剥離用切込線６を起点として、基材４からシーラント層５を引き剥がすことにより、シーラント層５同士を分離しなくても開封できるようにする。また、シーラント層５に、シール部２の内側の端縁からやや離れて、その端縁に並行するように、基材層４に達しないハーフカットの剥離止切込線７を入れ、この剥離止切込線７で基材層４からのシーラント層５の剥離を止めるようにする。【選択図】図５
2005219800.tif 000002
【特許請求の範囲】
【請求項１】
基材層の裏側にシーラント層をラミネートした積層フィルムを材料とし、シーラント層同士が接するように帯状のシール部で接着した包装体において、前記シーラント層に、開封時に最初に引剥力が作用するシール部の端縁に沿って、基材層に達しないハーフカットの剥離用切込線を入れたことを特徴とする積層フィルム包装体。
【請求項２】
前記シーラント層に、開封時にシール部の引剥が終了する端縁からやや離れて、その端縁に並行するように、基材層に達しないハーフカットの剥離止切込線を入れたことを特徴とする請求項１に記載の積層フィルム包装体。
【請求項３】
前記剥離用切込線をシール部の外側の端縁付近に入れたことを特徴とする請求項１又は２に記載の積層フィルム包装体。
【請求項４】
前記剥離用切込線をシール部の内側の端縁付近に入れたことを特徴とする請求項１又は２に記載の積層フィルム包装体。
【発明の詳細な説明】
【技術分野】
【０００１】
この発明は、食品等の密閉包装に使用される積層フィルム包装体に関するものである。
【背景技術】
【０００２】
一般に、スナック菓子等の包装体には、図１０に示すように、ポリプロピレンから成る基材層の裏側に、ポリエチレンのシーラント層をラミネートした積層フィルム１を材料とし、シーラント層同士が接するように背中央部及び上下縁部のシール部２，３で帯状にヒートシールしたピロー袋が使用される。
【発明の開示】
【発明が解決しようとする課題】
【０００３】
しかしながら、上記のような包装体は、例えば、背中央部のシール部２の接着を引き剥がして開封しようとしたとき、その両側部分を引っ張っても、シーラント層の接着部がなかなか分離せず、開封しにくいという問題があった。
【０００４】
そこで、この発明は、シール部を容易に引き剥がして開封できる積層フィルムの包装体を提供することを課題とする。
【課題を解決するための手段】
【０００５】
上記課題を解決するため、この発明は、基材層の裏側にシーラント層をラミネートした積層フィルムを材料とし、シーラント層同士が接するように帯状のシール部で接着した包装体において、前記シーラント層に、開封時に最初に引剥力が作用するシール部の端縁に沿って、基材層に達しないハーフカットの剥離用切込線を入れ、この剥離用切込線を起点として、シーラント層を基材から引き剥がすことにより、シーラント層同士を分離しなくても開封できるようにしたのである。
【０００６】
また、前記シーラント層に、開封時にシール部の引剥が終了する端縁からやや離れて、その端縁に並行するように、基材層に達しないハーフカットの剥離止切込線を入れ、この剥離止切込線で基材層からのシーラント層の剥離を止めるようにしたのである。
【０００７】
なお、前記剥離用切込線をシール部の外側の端縁付近に入れると、包装体を外側から容易に開くことができ、内側からは開きにくいようにすることができる。
【０００８】
また、前記剥離用切込線をシール部の内側の端縁付近に入れると、包装体を内側から容易に開くことができ、外側からは開きにくいようにすることができる。
【発明の効果】
【０００９】
上記のように、シール部で接着されるシーラント層に、開封時に最初に引剥力が作用するシール部の端縁に沿って、基材層に達しないハーフカットの剥離用切込線を入れると、その剥離用切込線を起点として、基材からシーラント層が引き剥がされるので、強力に接着されたシーラント層同士を分離することなく、僅かな力で開封することができる。
【００１０】
また、前記シーラント層に、開封時にシール部の引剥が終了する端縁からやや離れて、その端縁に並行するように、基材層に達しないハーフカットの剥離止切込線を入れると、この剥離止切込線でシーラント層の剥離が止められる。
【００１１】
なお、前記剥離用切込線をシール部の外側の端縁付近に入れると、包装体を外側から容易に開くことができ、内側からは開きにくいようにすることができるので、標高が高く気圧が低い場所などに包装体を持ち運んだ場合に、内圧により包装体が破裂するトラブルを防止することができる。
【００１２】
また、前記剥離用切込線をシール部の内側の端縁付近に入れると、包装体を内側から容易に開くことができ、外側からは開きにくいようにすることができるので、電子レンジで加熱した場合に内圧が過度に上昇しても、シール部が自動的に開いて圧力を逃がすようにして、包装体の破裂を防止することができる。
【発明を実施するための最良の形態】
【００１３】
まず、この発明の第１実施形態を図１乃至図６に基づいて説明する。
【００１４】
図１に示すように、この包装体は、上記従来例と同様、スナック菓子等の包装に使用されるピロー袋であり、内容物を包み込んだ積層フィルム１の両端部同士が背中央部及び上下縁部のシール部２，３でヒートシール接着されている。
【００１５】
積層フィルム１は、図２において背貼り部分の断面で示すように、ポリプロピレン等から成る基材層４の裏側にポリエチレン等のシーラント層５をラミネートしたものとされ、シール部２でシーラント層５が接するように積層フィルム１同士が重ね合わされている。
【００１６】
そして、一方の積層フィルム１のシーラント層５には、図１及び図２に示すように、シール部２の外側の端縁に沿って、基材層４に達しないハーフカットの剥離用切込線６が３本並行してレーザー加工で入れられている。
【００１７】
このように、剥離用切込線６を複数本入れておくと、その後のヒートシール加工において、シール部２の位置が多少ずれても、いずれかの剥離用切込線６がシール部２の外端縁付近に位置することとなる。
【００１８】
また、前記一方の積層フィルム１のシーラント層５には、シール部２の内側の端縁からやや離れて、その端縁に並行するように、基材層４に達しないハーフカットの剥離止切込線７がレーザー加工で入れられている。
【００１９】
上記のような包装体を開封する際には、図３に示すように、積層フィルム１同士の背貼り部分を起こし、シール部２の外側で両方の積層フィルム１の先端部を摘んで、図４に示すように、左右に開くように引っ張る。
【００２０】
このように積層フィルム１を引っ張ると、まず、シール部２の外端縁に引剥力が集中的に作用し、図５に示すように、この外端縁に近接する剥離用切込線６を起点として、他方の積層フィルム１の基材４からシーラント層５が引き剥がされるので、強力に接着されたシーラント層５同士を分離しなくても、僅かな力で開封できる。
【００２１】
このとき、背貼りの中央部を引き剥がす開封初期には、シーラント層５がシール部２を超えて基材層４から剥離するが、その剥離は剥離止切込線７により止められるので、シーラント層５が基材層４から大きく捲れることがない。
【００２２】
その後、引き剥がしの進行に伴い、図６に示すように、シーラント層５がシール部２の内側の端縁に沿って切断されつつ、基材層４から剥離する状態に移行し、図４に示すように、袋の背面が開口する。
【００２３】
このように、剥離用切込線６をシール部２の外側の端縁付近に入れると、包装体を外側から容易に開くことができ、内側からは開きにくいようにすることができるので、標高が高く気圧が低い場所で内圧により包装体が破裂するトラブルを防止することができる。
【００２４】
次に、この発明の第２実施形態を図７乃至図９に基づいて説明する。
【００２５】
図７に示すように、この実施形態に係る包装体もまたピロー袋であるが、上記第１実施形態と異なり、剥離用切込線６は、シール部２の内側の端縁付近に３本並行するように入れられ、剥離止切込線７は、シール部２の外側の端縁からやや離れて、その端縁に並行するように入れられている。
【００２６】
このような包装体では、開封する際、図８に示すように、背貼り部分を挟んで両方の積層フィルム１の胴部を摘み、左右に引っ張ると、シール部２の内端縁に接近した剥離用切込線６を起点として、他方の積層フィルム１の基材４からシーラント層５が引き剥がされるので、シーラント層５同士を分離しなくても、僅かな力で開封できる。
【００２７】
また、シーラント層５の剥離は、剥離止切込線７で止められるので、剥離抵抗が増大することもない。なお、袋の背貼り部分が狭い場合や、積層フィルム１の先端縁までヒートシールされている場合には、剥離止切込線７を省略してもよい。
【００２８】
このように、剥離用切込線６をシール部２の内側の端縁付近に入れると、包装体を内側から容易に開くことができ、外側からは開きにくいようにすることができるので、電子レンジで加熱した場合に内圧が過度に上昇しても、シール部が自動的に開いて圧力を逃がすようにして、包装体の破裂を防止することができる。
【００２９】
なお、上記第１及び第２実施形態では、ピロー袋について例示したが、この発明の構成は、ガセット袋、三方・四方シール袋、スタンディングパウチ、成形容器の蓋材等にも適用でき、これらのシール部に対して上記のような切込線を入れると、上記実施形態と同様の効果を得ることができる。
【図面の簡単な説明】
【００３０】
【図１】この発明の第１実施形態に係るピロー袋を示す斜視図
【図２】同上の背貼り部分を示す封緘状態の断面図
【図３】同上の背貼り部分を起こした状態を示す断面図
【図４】同上の開封状態を示す平面図
【図５】図４のＶ−Ｖ線に沿った断面図
【図６】図４のVI−VI線に沿った断面図
【図７】この発明の第２実施形態に係るピロー袋を示す斜視図
【図８】同上の背貼り部分を起こした状態を示す断面図
【図９】同上の開封時の状態を示す断面図
【図１０】従来のピロー袋を示す斜視図
【符号の説明】
【００３１】
１  積層フィルム
２，３  シール部
４  基材層
５  シーラント層
６  剥離用切込線
７  剥離止切込線
【図１】
2005219800.tif 000003
【図２】
2005219800.tif 000004
【図３】
2005219800.tif 000005
【図４】
2005219800.tif 000006
【図５】
2005219800.tif 000007
【図６】
2005219800.tif 000008
【図７】
2005219800.tif 000009
【図８】
2005219800.tif 000010
【図９】
2005219800.tif 000011
【図１０】
2005219800.tif 000012